(57)【要約】【課題】バーナーの火炎が被加熱体の底に沿って拡がるのを抑止して、輻射熱が使用者側に拡がるのを抑止する。被加熱体の底の大きさに拘わらず、使用者側に拡がる輻射熱を効果的に抑止する。【解決手段】ガスコンロは、コンロ本体とガスバーナーと五徳を備え、コンロ本体における五徳の前方側の天板部に、五徳の支持面と同等位置に上面を有して五徳の前方側を覆うカバー体を設け、上面をコンロ本体に対して前後に位置調整自在に配置した。【選択図】図１
2014234957.tif 000002
【特許請求の範囲】
【請求項１】
コンロ本体とガスバーナーと五徳を備え、
前記コンロ本体における前記五徳の前方側の天板部に、前記五徳の支持面と同等位置に上面を有して前記五徳の前方側を覆うカバー体を設け、
前記上面を前記コンロ本体に対して前後に位置調整自在に配置したことを特徴とするガスコンロ。
【請求項２】
前記上面の後端縁は、前記五徳の支持面に支持される被加熱体の底部前方側に近接する凹部を備えることを特徴とする請求項１記載のガスコンロ。
【請求項３】
前記カバー体及び前記天板部の両側部には前記天板部に対して前記カバー体を前後に摺動自在にするガイド部が設けられ、前記ガイド部には前記カバー体の前方への移動を止める壁部が設けられることを特徴とする請求項１又は２記載のガスコンロ。
【請求項４】
前記カバー体は前記天板部の内部に配置されることを特徴とする請求項１〜３のいずれか１項に記載されたガスコンロ。
【請求項５】
前記カバー体は前記天板部の外部に配置されることを特徴とする請求項１〜３のいずれか１項に記載されたガスコンロ。
【請求項６】
前記カバー体は前記天板部に対して着脱自在に配置されることを特徴とする請求項５記載のガスコンロ。
【発明の詳細な説明】
【技術分野】
【０００１】
本発明は、ガスコンロに関するものである。
【背景技術】
【０００２】
ガスコンロは、通常、コンロ本体にガスバーナーと五徳を備えている。以後の説明において、前方側とは、ガスコンロの使用者がコンロ本体に対して対面する側であり、後方側とは前述した前方側に対向する側を指している。また、左右とは、コンロ本体の前方側に立つ使用者からみた左右を指している。
【０００３】
下記特許文献１に記載された従来のガスコンロは、ガスバーナーの炎孔部を包囲するように設けられる汁受け部の上端周辺に、複数の爪部を具備する五徳が載置されたガスコンロであって、汁受け部及びこれの外周域が、バーナーの炎孔部からの炎による輻射熱によって不用意に加熱されないようにするために、五徳と一体に環状体を設け、この環状体を、バーナーの炎孔部からの輻射熱を遮る位置で且つ、汁受け部の周壁の内面に沿った位置に配設したものである。
【先行技術文献】
【特許文献】
【０００４】
【特許文献１】特開平９−３１８０７５号公報
【発明の概要】
【発明が解決しようとする課題】
【０００５】
前述した従来のガスコンロによると、バーナーの炎孔部からの輻射熱を環状体で遮ることはできるが、これでは、環状体と一体の五徳自体が加熱されることになり、加熱された五徳から周囲に熱が放出されることになる。また、鍋などの被加熱体の底を五徳上に載せてバーナーの炎で加熱する場合に、小さい直径の被加熱体の底に達した炎は、環状体で火炎を遮ることができず、コンロ前方に溢れることになるので、鍋の大きさによっては環状体による遮熱機能を発揮できない問題がある。
【０００６】
このように、従来のガスコンロでは、バーナーからの燃焼排気と輻射熱が周囲に排出されることになり、使用者の居る位置及び厨房環境の温度が上昇してしまい、使用者の快適な使用を妨げると共に、空調などによる多量のエネルギー消費に繋がってしまうという問題があった。
【０００７】
本発明は、このような問題に対処することを課題の一例とするものである。すなわち、加熱された五徳から前方に放出される熱を遮蔽すること、バーナーの火炎が被加熱体の底に沿って拡がるのを抑止して、輻射熱が使用者側に拡がるのを抑止すること、また、被加熱体の底の大きさに拘わらず、使用者側に拡がる輻射熱を効果的に抑止することができること、等が本発明の目的である。
【課題を解決するための手段】
【０００８】
このような目的を達成するために、本発明によるガスコンロは、以下の構成を少なくとも具備するものである。
コンロ本体とガスバーナーと五徳を備え、前記コンロ本体における前記五徳の前方側の天板部に、前記五徳の支持面と同等位置に上面を有して前記五徳の前方側を覆うカバー体を設け、前記上面を前記コンロ本体に対して前後に位置調整自在に配置したことを特徴とするガスコンロ。
【発明の効果】
【０００９】
このような特徴を有するガスコンロは、五徳の前方側を覆うカバー体によって加熱された五徳から放出される熱を遮断することができると共に、カバー体の上面をコンロ本体に対して前後に位置調整することで、カバー体の上面を五徳に支持された被加熱体の底部前方側に近接配置させることができるので、被加熱体の底面に沿って拡がろうとする火炎及び燃焼排気を効果的に遮断することができる。これによって、前方側への輻射熱の拡がりを抑止することができる。また、カバー体の上面をコンロ本体における前後に位置調整自在に配置しているので、底面の大きさが異なる各種の被加熱体に対しても、前方への輻射熱の拡がり抑止効果を良好に確保することができる。
【図面の簡単な説明】
【００１０】
【図１】本発明の実施形態に係るガスコンロを示した説明図（平面視した説明図）である。
【図２】本発明の実施形態に係るガスコンロを示した説明図（平面視した説明図）である。
【図３】本発明の実施形態に係るガスコンロを示した説明図（側面視した説明図）である。
【図４】本発明の他の実施形態に係るガスコンロを示した説明図（平面視した説明図）である。
【図５】本発明の実施形態に係るガスコンロを示した説明図（天板部とカバー体を示した説明図）である。
【発明を実施するための形態】
【００１１】
以下、図面を参照しながら本発明の実施形態を説明する。図１〜図３は、本発明の実施形態に係るガスコンロを示しており、図１及び図２（ａ），（ｂ）が平面視した説明図、図３（ａ），（ｂ）が側面視した説明図である。
【００１２】
ガスコンロ１は、コンロ本体２、ガスバーナー３、五徳４を備えている。コンロ本体２は、前方に操作部２Ｂ（図３参照）などを備えており、図示の例では箱形の筐体を備えている。コンロ本体２の内部にガスバーナー３の混合気形成部が配置されており、ガスバーナー３の炎孔部３Ａがコンロ本体２の上面側に露出している。五徳４は、矩形状又は円形状（図示の例は矩形状）の外周枠４Ｒとこの外周枠４Ｒから内側に延びる複数の爪部４Ａ，４Ｂ，４Ｃ，４Ｄを備えており、外周枠４Ｒが炎孔部３Ａを囲むように配置されている。そして、爪部４Ａ〜４Ｄの上面４Ｓが鍋などの被加熱体Ｗ（Ｗ１，Ｗ２，Ｗ３）の底面ＷＳを支持する支持面となっている。コンロ本体に２には、その前方側に天板部２Ａが設けられている。コンロ本体２、ガスバーナー３、五徳４の構成は図示の例に特に限定されるものではない。
【００１３】
コンロ本体２の天板部２Ａには、五徳４の支持面（上面４ｓ）と同等位置に上面５Ａを有して五徳４の前方側を覆うカバー体５が設けられており、カバー体５の上面５Ａをコンロ本体２に対して前後に位置調整自在に配置している。
【００１４】
図１〜図３に示した例では、カバー体５は天板部２Ａの内部に配置されている。そして、カバー体５及び天板部２Ａの両側部には天板部２Ａに対してカバー体５を前後に摺動自在にするガイド部６が設けられている。ガイド部６は、図示の例では天板部２Ａの内側部に突出するガイド突起６Ａとカバー体５の側面に形成されたガイド溝６Ｂによって構成される。この例では、天板部２Ａの内部にカバー体５を収容する空間が形成されており、カバー体５は天板部２Ａ内部の空間内で前後に摺動し、その後端縁５Ｂが前後に移動するようになっている。また、ガイド部６（ガイド溝６Ｂ）にはカバー体５の前方への移動を止める壁部６Ｂ１が設けられている。
【００１５】
このような構成を備えるガスコンロ１は、カバー体５の上面５Ａをコンロ本体２に対して前後に位置調整自在に配置することで、五徳４上に外径の異なる鍋などの被加熱体Ｗ（Ｗ１〜Ｗ３など）を支持した場合に、カバー体５の後端縁５Ｂを前後に移動させて被加熱体Ｗの底部前方側に近接させることができる。カバー体５における上面５Ａの後端縁５Ｂは、五徳４の支持面に支持される被加熱体Ｗの底部前方側に近接する凹部５Ｂ１を備えており、この凹部５Ｂ１は被加熱体Ｗの底部前方側の曲面に対応している。
【００１６】
図１及び図３（ｂ）は、比較的外径の大きい被加熱体Ｗ１を五徳４に支持させた場合を示しており、この場合は、カバー体５の上面５Ａは最も前方側に位置調整されている。図２（ａ）及び図３（ａ）に示した例は、比較的外径の小さい被加熱体Ｗ３を五徳４に支持させた場合を示しており、この場合は、カバー体５の上面５Ａは最も後方側に位置調整されている。図２（ｂ）は、中間的な外径の被加熱体Ｗ２を五徳４に支持させた場合を示している。
【００１７】
このようなガスコンロ１によると、コンロ本体２の天板部２Ａに五徳４の支持面と同等位置に上面５Ａを有して五徳４の前方側を覆うカバー体５を設けることで、加熱された五徳から前方に放出される熱を効果的に遮蔽することができる。また、五徳４に支持される被加熱体Ｗの外径が異なる場合であっても、カバー体５の上面５Ａの位置を前後に調整して上面５Ａの後端縁５Ｂを被加熱体Ｗの底部前方側に近接させることができるので、被加熱体Ｗの底面ＷＳに沿って前方に拡がろうとする火炎や燃焼排気を効果的に遮断することができる。特に、上面５Ａにおける後端縁５Ｂに凹部５Ｂ１を設けることで、円筒状の被加熱体Ｗに対してその底部前方側の形状に沿って上面５Ａを密着させることができる。
【００１８】
この際、カバー体５及び天板部２Ａの両側部には天板部２Ａに対してカバー体５を前後に摺動自在にするガイド部６（ガイド突起６Ａ及びガイド溝６Ｂ）が設けられ、ガイド部６にはカバー体５の前方への移動を止める壁部６Ｂ１が設けられているので、上面５Ａを一定高さで円滑に位置調整することができると共に、過剰にカバー体５を後方側に移動させて上面５Ａがガスバーナー３の炎孔部３Ａを覆うような不具合が生じることが無い。
【００１９】
図４及び図５は、本発明の他の実施形態を示した説明図である。前述した実施形態と同様な部位には同一符号を付して重複説明を省略する。この実施形態に係るガスコンロ１は、カバー体５が天板部２Ａの外部に配置されている。また、カバー体５は天板部２Ａに対して着脱自在に配置されている。ガイド部６は、カバー体５の内側にガイド突起６Ａが前後に沿って所定の長さで設けられており、天板部２Ａの側部にガイド溝６Ｂが前後に沿って所定長さで形成されている。ガイド溝６Ｂの後端にはカバー体５の前方への移動を止める壁部６Ｂ１が設けられている。
【００２０】
このような実施形態においても前述した例と同様の機能を得ることができる。特には、カバー体５を天板部２Ａに対して着脱自在にしていることで、図５に示したように、天板部２Ａからカバー体５を取り外して、天板部２Ａの上面やカバー体５の内側を簡易に清掃することができる。
【００２１】
以上説明した本発明の実施形態に係るガスコンロ１は、カバー体５によって五徳４の前方を覆うことで、加熱された五徳４から発せられる熱を効果的に遮蔽することができる。また、ガスバーナー３の炎孔部３Ａから放出される火炎又は燃焼排気をカバー体５と被加熱体Ｗの底面ＷＳとで遮断することができるので、火炎又は燃焼排気が使用者の居るコンロ本体２の前方側に向かうのを効果的に抑制することができる。これによって、使用者は快適に調理などを行うことが可能になる。特に、火炎を大きくした場合にも、被加熱体Ｗの底面ＷＳに沿って前方に拡がろうとする火炎をカバー体５で遮断することができるので、火力を高めて調理などを行う場合であっても使用者の快適性を維持することができる。また、カバー体５によって、ガスバーナー３からの燃焼排気と輻射熱が周囲に排出されるのを抑制できるので、周辺環境の温度上昇を抑え、空調などによるエネルギー消費を抑制することができる。
【００２２】
そして、本発明の実施形態に係るガスコンロ１は、カバー体５の上面５Ａの位置をコンロ本体２における前後に位置調整自在に配置しているので、外径が異なる鍋などの被加熱体Ｗを用いる場合にも、カバー体５の後端縁５Ｂを被加熱体Ｗの底部前方側に近接させることができ、良好な遮熱効果を得ることが可能になる。
【００２３】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２４】
１：ガスコンロ，２：コンロ本体，２Ａ：天板部，
３：ガスバーナー，３Ａ：炎孔部，
４：五徳，４Ａ〜４Ｄ：爪部，４Ｒ：外周枠，４Ｓ：上面，
５：カバー体，５Ａ：上面，５Ｂ：後端縁，５Ｂ１：凹部，
６：ガイド部，６Ａ：ガイド突起，６Ｂ：ガイド溝，６Ｂ１：壁部，
Ｗ，Ｗ１〜Ｗ３：被加熱体，ＷＳ：底面
【図１】
2014234957.tif 000003
【図２】
2014234957.tif 000004
【図３】
2014234957.tif 000005
【図４】
2014234957.tif 000006
【図５】
2014234957.tif 000007